【事件の表示】
　平成　５年特許願第１６０５４８号「イメージセンサ用チップ」拒絶査定に対する審判事件［平成　７年　１月２４日出願公開、特開平　７−　２３１７１］について、次のとおり審決する。
【結　論】
　本件審判の請求は、成り立たない。
【理　由】
１．手続の経緯等
　本願は、平成５年６月３０日の出願であって、平成１３年６月２６日付け、及び平成１５年６月２３日付けの手続補正書によって補正された明細書及び図面の記載から、本願の請求項１に係る発明（以下、本願発明という。）は、特許請求の範囲の請求項１に記載された次のとおりのものである。
　
「原稿面からの反射光を電気信号に変換する複数の光電変換素子と、
　前記光電変換素子からの画像信号を読み出すために各光電変換素子に対応して設けられた複数のスイッチ素子配列と、
　前記スイッチ素子配列内において隣接する２個ごとにその出力側に設けられ、その出力端が出力アンプに接続されてオン動作することにより前記画像信号を出力する共通スイッチ素子と、
　前記スイッチ素子配列の奇数番目と偶数番目に対して互いに位相が反転した第１及び第２のクロック分周信号を出力して奇数番目と偶数番目のスイッチ素子を交互にオン動作させるとともに、前記共通スイッチに対して前記第１のクロック分周信号のオンタイミングでオンし、次のオンタイミングでオフする信号を順次出力して隣接する奇数番目と偶数番目のスイッチ素子が交互にオン動作する期間中共通スイッチをオン状態に維持させる制御部と、
　を有することを特徴とするイメージセンサ用チップ。」
　
２．引用例
　これに対して、当審によって平成１５年４月１７日付けで通知された拒絶理由で引用された特開平１−９４６５５号公報（以下、引用例という。）には、図面と共に次の記載がなされている。
　
（１）「並び合って配置されており第１の端子（１）を介して一定の電位と接続可能であるそれぞれｎ個のセンサ要素（Ｓ１１…Ｓｍｎ）のｍ個の群を有する光学電気的像センサの読出しのための集積回路であって、センサ要素の第２の端子がデータ線（ＤＬ１…ＤＬｍ）を介して読出し回路（４）の入力端と接続可能であり、各センサ要素に直列にスイッチングトランジスタ（Ｔ１１…Ｔｍｎ）が配置されており、また読出し回路がすべてのセンサ要素のセンサ信号を順次に出力端（５）に伝達する集積回路において、各群のｎ個のセンサ要素（Ｓ１１…Ｓ１ｎ）がそれらの第２の端子に直列に配置されているスイッチングトランジスタ（Ｔ１１…Ｔ１ｎ）を介して個々に次々と１つの共通の群固有のデータ線（ＤＬ１）に接続可能であり、それらの第１の端子は常に一定の電位と接続されており、読出し回路はｍ個の群固有のデータ線（ＤＬ１…ＤＬｍ）と接続されているｍ個の入力端（Ｅ１…Ｅｍ）を有し、またスイッチングトランジスタ（Ｔ１１…Ｔｍ１）がそれらの群のなかでそれぞれ等しい順序数を有する異なった群のセンサ要素（Ｓ１１…Ｓｍ１）を１つの共通の制御線（Ｌ１）を介して駆動可能であり、従って読出し回路（４）の入力端に、等しい順序数のすべてのセンサ要素のｍ個のセンサ信号の１つの信号束が同時に供給され、また異なった順序数に属するそれぞれ相応の信号束はｎ個の相続く時点に供給されることを特徴とする光学電気的像センサの読出しのための集積回路。」
（特許請求の範囲第１項）
　
（２）「第１図には、１つの光学電気的像センサの並び合って位置するセンサ要素が参照符号Ｓ１１ないしＳｍｎを付されている。第１のセンサ要素Ｓ１１は端子１と２との間に位置するホトダイオードＤ１と、ホトダイオードＤ１に並列に接続されておりセンサ要素のキャパシタンスを表すキャパシタンスＫ１とを有する。端子１を介してセンサ要素Ｓ１１は一定の電位を与えられる。この電位は、すべてのセンサ要素に共通の端子３に接続されており導線３ａを介して導かれる一定電圧−Ｕｏにより与えられている。端子２はスイッチングトランジスタＴ１１のソース・ドレイン間パスを介して、またデータ線ＤＬ１を介して読出し回路４の第１の入力端Ｅ１と接続されている。トランジスタＴ１１のゲートはシフトレジスタ６の出力端Ａ１に接続されている制御線Ｌ１を介して駆動される。
（中略）
　第１のｎ個のセンサ要素Ｓ１１ないしＳ１ｎは第１の群にまとめられており、それらの第２の端子はスイッチングトランジスタＴ１１ないしＴ１ｎを介して、この群のすべてのセンサ要素に共通の群固有の１つのデータ線であるデータ線ＤＬ１と接続されている。すぐ次のｎ個のセンサ要素Ｓ２１ないしＳ２ｎは第２の群にまとめられており、それらの第２の端子はトランジスタＴ２１ないしＴ２ｎを介して、対応付けられている群固有のデータ線ＤＬ２と接続されている。類似の仕方で後続のセンサ要素もそれぞれｎ個のセンサ要素の群にまとめられており、またそれぞれ１つの群固有のデータ線と接続されている。最後の、Ｓｍ１ないしＳｍｎから成る群は群固有のデータ線ＤＬｍと接続されている。制御線Ｌ１は、すべての群のそれぞれ第１のセンサ要素、すなわちＳ１１、Ｓ２１…Ｓｍ１に属するスイッチングトランジスタＴ１１、Ｔ２１…Ｔｍ１のゲートと接続されている。制御線Ｌ２はスイッチングトランジスタＴ１２、Ｔ２２…Ｔｍ２のゲートと接続されている。最後に制御線ＬｎはスイッチングトランジスタＴ１ｎ、Ｔ２ｎ…Ｔｍｎのゲートと接続されている。全く共通なことは、制御線Ｌ１ないしＬｎの各々を介してすべてのｍ個の群のすべてのスイッチングトランジスタが、個々の群のなかでそれぞれ等しい順序数を有するセンサ要素により駆動可能であることである。
　詳細には、制御線Ｌ１を介して第１の時点ですべてのスイッチングトランジスタＴ１１ないしＴｍ１が同時に導通状態に切換えられ、従ってＳ１１、Ｓ２１…Ｓｍ１から発せられるセンサ信号が同時に、すなわち１つの信号束の形態で読出し回路４の入力端Ｅ１ないしＥｍに与えられる。続く第２の時点ではすべてのスイッチングトランジスタＴ１２ないしＴｍ２が制御線Ｌ２を介して導通状態に切換えられ、従って入力端Ｅ１ないしＥｍにＳ１２ないしＳｍ２のセンサ信号から成る第２の信号束が供給される。その後の時点では相応の信号束が群のなかのそれぞれ昇順の、しかも等しい順序数を有するセンサ要素から導き出され、その際に第ｎの時点ではセンサ要素Ｓ１ｎないしＳｍｎのｍ個のセンサ信号がその際に導通しているスイッチングトランジスタＴ１ｎないしＴｍｎを介して読出し回路４の入力端に与えられる。その際にスイッチングトランジスタＴ１ｎないしＴｍｎの駆動は、第１の時点の間にシフトレジスタ６の出力端Ａ１を介して”１”が発せられ、他方においてその他の出力端Ａ２ないしＡｎはそれぞれ”０”を与えられているように行われる。第２の時点では出力端Ａ２を介して”１”が発せられ、以下同様にして、最後に第ｎの時点で出力端Ａｎを介して”１”が発せられ、他方においてシフトレジスタ６のすべてのその他の出力端は”０”を与えられている。」
（第３頁右下欄第３行−第４頁右下欄第７行）
　
（３）「読出し回路４は、前記の時点の個々のなかで、与えられている信号束のすべてのセンサ信号が個々に次々と１つの出力端５に通過接続されるように構成されている。その際に最初に、入力端Ｅ１に与えられているセンサ信号が通過接続され、また最後、に入力端Ｅｍに与えられているセンサ信号が通過接続される。読出し回路４の各入力端、たとえばＥ１は差動増幅器、たとえば７の正入力端と接続されており、その出力端は一方ではその負入力端と接続されており、また他方では１つの走査段、たとえば８を介して出力端５に導かれている。シフトレジスタ９はその並列出力端９１ないし９ｍを介して上記の走査段を、最初に出力端９１における”１”信号により走査段８が差動増幅器７の出力端を出力端５に通過接続し、他方においてすべてのその他の走査段は出力端９２ないし９ｍに与えられている”０”信号により遮断されているように駆動する。続いてシフトレジスタ９のその他の出力端が、また最後に出力端９ｍがそれぞれ個々に次々と”１”を与えられ、その際に対応付けられている走査段を介して入力端Ｅ２ないしＥｍに与えられているセンサ信号が順次に出力端５に到達する。入力端の信号の順次の通過接続は前記の時点の各々で繰り返される。」
（第４頁右下欄第８行−第５頁左上欄第１１行）
　
（４）「本発明による光学電気的像センサの１つの有利な応用では、基板１１の上に集積されたセンサ要素行Ｓ１１ないしＳｍｎの長さは走査すべき文書の一方の寸法に相当し、文書はその他方の方向に像センサに沿って動かされる。」
（第９頁右上欄第８−１２行）
　
　したがって、引用例には次の発明が記載されているといえる。
　
「文章を走査する並び合って配置されているｎ個のセンサ要素（Ｓ１１…Ｓｍｎ）のｍ個の群と、
　各センサ要素に直列に配置されたスイッチングトランジスタ（Ｔ１１…Ｔｍｎ）と有し、
　第１のｎ個のセンサ要素Ｓ１１ないしＳ１ｎは第１の群にまとめられており、それらはスイッチングトランジスタＴ１１ないしＴ１ｎを介して、この群のすべてのセンサ要素に共通の群固有の１つのデータ線であるデータ線ＤＬ１と接続されており、すぐ次のｎ個のセンサ要素Ｓ２１ないしＳ２ｎは第２の群にまとめられており、それらはスイッチングトランジスタＴ２１ないしＴ２ｎを介して、対応付けられている群固有のデータ線ＤＬ２と接続されており、類似の仕方で後続のセンサ要素もそれぞれｎ個のセンサ要素の群にまとめられており、またそれぞれ１つの群固有のデータ線と接続されており、最後の、Ｓｍ１ないしＳｍｎから成る群は群固有のデータ線ＤＬｍと接続されており、シフトレジスタ６に接続された制御線Ｌ１ないしＬｎの各々を介してすべてのｍ個の群のすべてのスイッチングトランジスタが、個々の群のなかでそれぞれ等しい順序数を有するセンサ要素により駆動可能であり、　さらに、前記データ線ＤＬ１ないしＤＬｍがそれぞれ接続される入力端Ｅ１ないしＥｍを有し、すべてのセンサ信号が個々に次々と１つの出力端５に通過接続されるように構成されている読出し回路４を備え、
　前記読出し回路４は、各入力端Ｅ１ないしＥｍに接続された差動増幅器及び走査段を介して、入力端に与えられているセンサ信号が順次に出力端５に到達するものであり、その際に最初に、入力端Ｅ１に与えられているセンサ信号が通過接続され、また最後に入力端Ｅｍに与えられているセンサ信号が通過接続されるように、シフトレジスタ９が走査段を駆動する、
光学電気的像センサの読出しのための集積回路。」
　
３．対比
　文章を走査する並び合って配置されているｎ個のセンサ要素（Ｓ１１…Ｓｍｎ）のｍ個の群は、原稿面からの光を電気信号に変換する複数の光電変換素子と、各センサ要素に直列に配置されたスイッチングトランジスタ（Ｔ１１…Ｔｍｎ）は、前記光電変換素子からの画像信号を読み出すために各光電変換素子に対応して設けられた複数のスイッチ素子配列とそれぞれいうことができる。
　また、引用例に記載された発明は、ｎが２の場合には、隣接する２個ごとのスイッチングトランジスタが共通のデータ線、差動増幅器及び走査段を介して、センサ信号が順次に出力端５に到達するものであり、差動増幅器はそれを介して信号が出力されるものであるから出力アンプといえ、走査段は上記（３）の記載及び図面から明らかなようにスイッチ素子で構成されるものであることは明かであるから、前記スイッチ素子配列内において隣接する２個ごとにその出力側に設けられた出力アンプと、出力アンプに接続されてオン動作することにより前記画像信号を出力する共通スイッチ素子を有するものといえる。
　さらに、ｎが２の場合には、隣接する２個ごとのスイッチングトランジスタは、シフトレジスタ６により交互にオン動作され、共通スイッチ素子といえる走査段はシフトレジスタ９により、すべてのセンサ信号が個々に次々と１つの出力端５に通過接続されるように駆動されるのであるから、シフトレジスタ６及びシフトレジスタ９は、前記スイッチ素子配列の奇数番目と偶数番目に対して互いに位相が反転した第１及び第２のクロック分周信号を出力して奇数番目と偶数番目のスイッチ素子を交互にオン動作させるとともに、前記共通スイッチに対して前記第１のクロック分周信号のオンタイミングでオンし、次のオンタイミングでオフする信号を順次出力して隣接する奇数番目と偶数番目のスイッチ素子が交互にオン動作する期間中共通スイッチをオン状態に維持させる制御部といえるものである。
　そして、光学電気的像センサの読出しのための集積回路は、イメージセンサ用チップといえるものである。
　したがって、本願発明と引用例に記載された発明とは次の点で一致する。　
「原稿面からの光を電気信号に変換する複数の光電変換素子と、
　前記光電変換素子からの画像信号を読み出すために各光電変換素子に対応して設けられた複数のスイッチ素子配列と、
　前記スイッチ素子配列内において隣接する２個ごとにその出力側に設けられオン動作することにより前記画像信号を出力する共通スイッチ素子と、
　出力アンプと、
　前記スイッチ素子配列の奇数番目と偶数番目に対して互いに位相が反転した第１及び第２のクロック分周信号を出力して奇数番目と偶数番目のスイッチ素子を交互にオン動作させるとともに、前記共通スイッチに対して前記第１のクロック分周信号のオンタイミングでオンし、次のオンタイミングでオフする信号を順次出力して隣接する奇数番目と偶数番目のスイッチ素子が交互にオン動作する期間中共通スイッチをオン状態に維持させる制御部と、
　を有することを特徴とするイメージセンサ用チップ。」
　
　また次の点で相違する。
　
　相違点１
　本願発明は、原稿面からの反射光を電気信号に変換するものであるのに対して、引用例に記載された発明では、原稿面からの光を電気信号に変換するものであるが、反射光であるかどうか明かでない点。
　
　相違点２
　本願発明は、「前記スイッチ素子配列内において隣接する２個ごとにその出力側に設けられ、その出力端が出力アンプに接続されてオン動作することにより前記画像信号を出力する共通スイッチ素子と、」記載されているように、出力アンプが共通スイッチの出力端に接続されているのに対して、引用例に記載された発明では、出力アンプが共通スイッチの入力端に接続されて複数設けられている点。
　
４．相違点に対する判断
　相違点１
　原稿面からの反射光を電気信号に変換することは、周知のことであり、引用例に記載された発明において、原稿面からの光を反射光とすることに困難な点はない。
　
　相違点２
　イメーイジセンサにおいて、スイッチングを行なった後に単一の出力アンプを介して信号を出力することは周知であり（例えば、特開昭５８−１９１５６５号公報、特開平３−２３１５６０号公報）、引用例に記載された発明において、複数の走査段の前段にそれぞれ設けられた差動増幅器の替わりに、複数の走査段が共通接続され出力端５に到達する間に単一の出力アンプを設けて、本願発明と同様の構成とすることに困難な点はない。
　
　なお、請求人は、平成１５年６月２３日付けの意見書において、
「しかしながら、この引用文献では、共通のデータ線ＤＬ１にはリセットトランジスタＲＴ１が接続されており、このリセットトランジスタＲＴ１によりリセットするのであり、引用文献の公報第６頁には、センサ素子Ｓ１１のキャパシタＫ１を充電し、その後の放電の終了時にトランジスタＴ１１をオン状態に切り換え、リセットトランジスタＲＴ１をオフ状態に切り換えてセンサ信号をデータ線ＤＬ１を介して端子Ｅ１に供給すると記載されている。したがって、引用文献では、トランジスタＴ１１及びＴ１２は交互にオンオフされるものの、共通スイッチであるＲＴ１はＴ１１がオンされたときにはオフ状態となり、またＴ１２がオン状態となったときにもオフ状態とされてセンサ信号をアンプや走査段に出力する構成であって、本願発明のように共通スイッチ素子に対して第１のクロック分周信号のクロックオンタイミングでオンし、次のオンタイミングでオフするような信号を供給して共通スイッチ素子をオン動作させ、これにより奇数番目と偶数番目のスイッチ素子からの信号を順次出力アンプに出力する構成ではない。」と主張している。
　しかし、引用例の「リセットトランジスタＲＴ１」は、その機能から、特許請求の範囲には記載されていない本願発明の実施例の「アナログスイッチＳＷＤ」に対応するものであり、上記主張を採用することはできない。
　　
５．むすび
　したがって、本願の請求項１に係る発明は、上記引用例に記載された発明に基づいて当業者が容易に発明をすることができたものであるから、特許法第２９条第２項の規定により特許を受けることができない。
　よって、結論のとおり審決する。